(57)【要約】【課題】合紙無しでシートの表面を傷つけることなくシートを集積できるシート集積装置および集積方法の提供。【解決手段】投入されたシートが集積される集積面と、前記集積面の上方において、シートの上流側を受け止める上流側シート受け部材と、前記集積面の上方において、シートの下流側を受け止める下流側シート受け部材とを備え、上流側シート受け部材と下流側シート受け部材とは、シートを受けると、一方が投入方向に沿って移動し、他方が下方に回動することにより、シート保持位置から退避して前記集積面上に前記シートを落下させるシート集積装置、およびシート集積方法。【選択図】図２
2008081244.tif 000002
【特許請求の範囲】
【請求項１】
投入手段によって順次投入されるシートを、所定の集積位置に層状に積層するシート積層装置であって、
前記集積手段で投入されたシートが集積される集積面と、
前記集積面の上方において、前記投入手段で投入されたシートの投入方向に対して上流側を受け止める上流側シート受け部材と、
前記集積面の上方において、前記投入手段で投入されたシートの投入方向に対して下流側を受け止める下流側シート受け部材と
を備え、
上流側シート受け部材と下流側シート受け部材とは、シートを受けると、一方が投入方向に沿って移動し、他方が下方に回動することにより、シートを保持するシート保持位置から退避して前記集積面上に前記シートを落下させることを特徴とするシート集積装置。
【請求項２】
上流側シート受け部材は下方に回動し、下流側シート受け部材は投入方向に沿って移動してシート保持位置から退避する請求項１に記載のシート集積装置。
【請求項３】
下流側シート受け部材の集積面からの高さは、上流側シート受け部材の集積面からの高さ以下である請求項１または２に記載のシート集積装置。
【請求項４】
下流側シート受け部材と前記集積面上に集積されたシートとの高さ方向の距離を一定に保持する集積高さ調整手段を有する請求項１〜３の何れか１項に記載のシート集積装置。
【請求項５】
前記集積面よりもシートの投入方向に対して上流側に位置するフロントストッパと前記積載面を挟んでフロントストッパに相対するように設けられたバックストッパとを備え、
前記フロントストッパは、前記投入方向に沿って下流側に向かって空気を噴出するノズル孔が形成されてなるとともに、
前記上流側シート受け部材は、前記フロントストッパのノズル孔の高さよりも低い位置にある請求項１〜４の何れか１項に記載のシート集積装置。
【請求項６】
下流側シート受け部材がシートを受け止めたことを検出するシート受け確認手段を有し、上流側シート受け部材および下流側シート受け部材は、前記シート受け確認手段がシートを検出してから退避位置をとる請求項１〜５の何れか１項に記載のシート集積装置。
【請求項７】
シートが下流側シート受け部材に衝突したことを検出するシート衝突検出手段を有する請求項１〜６の何れか１項に記載のシート集積装置。
【請求項８】
上流側シート受け部材および下流側シート受け部材から集積面にシートが落下したのを確認してから、次のシートを投入する請求項１〜７の何れか１項に記載のシート集積装置。
【請求項９】
上流側シート受け部材と下流側シート受け部材とがシートを受けると、前記バックストッパが集積面から退避する請求項５〜８の何れか１項に記載のシート集積装置。
【請求項１０】
前記積載面を挟んでフロントストッパに相対する位置において前記バックストッパよりも下方に設けられたガイド板を備える請求項９に記載のシート集積装置。
【請求項１１】
シートの投入方向に沿って集積面を挟むように設けられた１対のサイドストッパを備え、前記サイドストッパは、フロントストッパ近傍からバックストッパ近傍まで延在してなる請求項５〜１０の何れか１項に記載のシート集積装置。
【請求項１２】
投入手段によって順次投入されるシートを、所定の集積面に位置決めしつつ層状に積層するシート積層方法であって、
前記集積面の上方において、前記投入手段で投入されたシートの投入方向に対して上流側を上流側シート受け部材によって受け止め、前記シートの投入方向に対して下流側を下流側シート受け部材で受け止めるとともに、
上流側シート受け部材と下流側シート受け部材とがシートを受けると、上流側シート受け部材と下流側シート受け部材との一方を投入方向に沿って移動させ、他方を下方に回動させることにより、上流側シート受け部材と下流側シート受け部材とをシートを保持するシート保持位置から退避させ、前記集積面上に前記シートを落下させることを特徴とする集積方法。
【請求項１３】
上流側シート受け部材を下方に回動させ、下流側シート受け部材を投入方向に沿って移動させてシート保持位置から退避させる請求項１２に記載の集積方法。
【請求項１４】
下流側シート受け部材の集積面からの高さを、上流側シート受け部材の集積面からの高さ以下に設定した状態でシートを受ける請求項１２または１３に記載の集積方法。
【発明の詳細な説明】
【技術分野】
【０００１】
本発明は、シート集積装置および集積方法に関し、特に、レーザ露光型平版印刷版のように表面に傷がつき易いシートの集積に好適なシート集積装置および集積方法に関する。
【背景技術】
【０００２】
搬送手段から順次投入される平版印刷版を所定の集積位置に位置決めし、層状に集積するシート集積装置として、前記平版印刷版が集積される集積面と、前記集積面上における平版印刷版の外周側に設けられ、該平版印刷版の面方向に沿った移動を制限して前記集積位置に位置決めする枠部材と、前記枠部材と前記集積面における平版印刷版との間に介在し、該平版印刷版からの荷重により弾性変形するクッション材と、前記クッション材と前記集積面上における平版印刷版との間に介在し、該平版印刷版の当接時に前記クッション材とともに変形する金属製保護シートとを有するものが提案された（特許文献１）。
前記シート集積装置は、前記枠部材として、ベルトコンベアなどの搬送手段から投入された平版印刷版を受け止めるバックストッパと、前記集積面を挟んで前記バックストッパに相対するように設けられたフロントストッパと、集積面の両側縁に沿って設けられた１対のサイドストッパとを備えている。
【０００３】
前記フロントストッパには、ベルトコンベアから投入される平版印刷版に向って空気流を吹きつける水平なスリット状のノズル孔が設けられている。
【０００４】
したがって、前記ノズル孔から吹き出す空気流の強さおよび方向を制御することにより、投入された平版印刷版の浮上量を制御し、集積面に集積された平版印刷版と、前記投入された平版印刷版との接触を軽減することは可能であると考えられる。
【特許文献１】特開２００２−０４６９２４号公報
【発明の開示】
【発明が解決しようとする課題】
【０００５】
しかしながら、前記シート集積装置においては、投入される平版印刷版のサイズや品種、カールの大きさなどに応じてノズル孔から吹き出す空気流の強さおよび方向を変える必要があった。
【０００６】
特に、レーザ露光型平版印刷版のように表面に合紙のない平版印刷版においては、カールの大きさが変化すると、投入した平版印刷版の裏面が、集積面に集積された平版印刷版の製版面に当接して前記製版面に傷をつける可能性がある。
【０００７】
本発明は、上記問題を解決すべく成されたものであり、レーザ露光型平版印刷版のように表面に傷がつき易いシートであっても合紙無しで表面を傷つけることなく集積できるシート集積装置および集積方法の提供を目的とする。
【課題を解決するための手段】
【０００８】
請求項１に記載の発明は、投入手段によって順次投入されるシートを、所定の集積位置に層状に積層するシート積層装置であって、前記集積手段で投入されたシートが集積される集積面と、前記集積面の上方において、前記投入手段で投入されたシートの投入方向に対して上流側を受け止める上流側シート受け部材と、前記集積面の上方において、前記投入手段で投入されたシートの投入方向に対して下流側を受け止める下流側シート受け部材とを備え、上流側シート受け部材と下流側シート受け部材とは、シートを受けると、一方が投入方向に沿って移動し、他方が下方に回動することにより、シートを保持するシート保持位置から退避して前記集積面上に前記シートを落下させることを特徴とするシート集積装置に関する。
【０００９】
前記シート集積装置においては、投入手段で投入されたシートを、前記シート保持手段で受け止めた後に集積台上に落下させているから、サイズや品種、カールの大きさなどによらず、シートは、投入時の勢いが減殺された状態で集積台に載置される。
【００１０】
したがって、シートの表面を傷付けたり破損させたりすること無く集積することができるうえ、投入されるシートのサイズや品種、カールの大きさなどが変化する度毎に、投入条件や集積条件を変更する必要がない。
【００１１】
更に、上流側シート受け部材と下流側シート受け部材との一方を投入方向に沿って移動させ、他方を下方に回動させてシート保持位置から退避させているから、平版印刷版のように投入方向に沿った側縁にバリの生じたシートであっても、バリによって上流側シート受け部材および下流側シート受け部材の表面が傷ついたり、上流側シート受け部材および下流側シート受け部材が退避動作中にバリに引っ掛かってシートを傷つけたりするなどの問題を防止できる。
【００１２】
請求項２に記載の発明は、上流側シート受け部材が下方に回動し、下流側シート受け部材が投入方向に沿って移動してシート保持位置から退避する請求項１に記載のシート集積装置に関する。
【００１３】
平版印刷版加工ラインにおいては、平版印刷版ウェブは一定方向に沿って搬送されつつ、長手方向に沿って裁断され、次いで幅方向に沿って切断される。したがって、投入方向に沿った縁部である側縁には下方に向かってバリが生じ、投入方向に対して下流側の縁部、即ち前縁には上向きのバリが生じる。
【００１４】
前記シート集積装置においては、退避時において上流側シート受け部材は下方に回動し、下流側シート受け部材は投入方向に沿って移動するから、上流側シート受け部材および下流側シート受け部材の何れも、退避時に平版印刷版の側縁および前縁のバリに当たることがない。
【００１５】
したがって、上記シート集積装置は平版印刷版の集積にとくに好適である。
【００１６】
請求項３に記載の発明は、下流側シート受け部材の集積面からの高さが、上流側シート受け部材の集積面からの高さ以下である請求項１または２に記載のシート集積装置に関する。
【００１７】
シートは、一般的には前方が下方に湾曲した状態で集積面に集積される。したがって、下流側シート受け部材の方が上流側シート受け部材よりも高さが高い場合、投入されたシートの前縁が下流側シート受け部材に衝突する可能性がある。
【００１８】
そこで、前記シート集積装置においては、下流側シート受け部材の高さを上流側シート受け部材の高さ以下に設定することにより、シートと下流側シート受け部材との衝突が生じるのを防止している。
【００１９】
請求項４に記載の発明は、下流側シート受け部材と集積面に集積されたシートとの高さ方向の距離を一定に保持する集積高さ調整手段を有する請求項１〜３の何れか１項に記載のシート集積装置に関する。
【００２０】
前記シート集積装置においては、集積面に集積されたシートのうち最も上に位置するものの高さと下流側シート受け部材との高さ方向の距離が一定に保持されるから、集積面上に落下するシートの速度もシート集積枚数によらずに一定である。
【００２１】
請求項５に記載の発明は、前記集積面よりもシートの投入方向に対して上流側に位置するフロントストッパと前記積載面を挟んでフロントストッパに相対するように設けられたバックストッパとを備え、前記フロントストッパは、前記投入方向に沿って下流側に向かって空気を噴出するノズル孔が形成されてなるとともに、前記上流側シート受け部材は、前記フロントストッパのノズル孔の高さよりも低い位置にある請求項１〜４の何れか１項に記載のシート集積装置に関する。
【００２２】
前記シート集積装置においては、フロントストッパのノズル孔から噴出される気流によって新たに投入されたシートと集積面上に集積済みのシートとの間にクッションが形成されるから、集積時の衝撃を緩和できる。
【００２３】
更に、前記上流側シート受け部材が、前記フロントストッパのノズル孔の高さよりも低い位置にあるから、上流側シート受け部材および下流側シート受け部材によって受け止められたシートが、前記ノズル孔から噴出した気流によってばたつくことが防止される。
【００２４】
請求項６に記載の発明は、下流側シート受け部材がシートを受け止めたことを検出するシート受け確認手段を有し、上流側シート受け部材および下流側シート受け部材は、前記シート受け確認手段がシートを検出してから退避位置をとる請求項１〜５の何れか１項に記載のシート集積装置に関する。
【００２５】
前記シート集積装置においては、シート受け確認手段がシートを検出してから上流側シート受け部材および下流側シート受け部材が退避位置をとるから、投入されたシートは、上流側シート受け部材および下流側シート受け部材によって確実に受け止められた後に集積面に向かって落下する。
【００２６】
請求項７に記載の発明は、シートが下流側シート受け部材に衝突したことを検出するシート衝突検出手段を有する請求項１〜６の何れか１項に記載のシート集積装置に関する。
【００２７】
下流側シート受け部材にシートが衝突すると、シートの前縁が変形するが、前記シート集積装置においては、シート衝突検出手段でシートを検出したとき、何らかの警報を発してオペレータにシートが下流側シート受け部材に衝突したことを知らせるか、またはシートの投入を自動的に中止することにより、前縁が変形したシートが集積面に多数集積されることを防止する。
【００２８】
請求項８に記載の発明は、上流側シート受け部材および下流側シート受け部材からシート受け面にシートが落下したのを確認してから、次のシートを投入する請求項１〜７の何れか１項に記載のシート集積装置に関する。
【００２９】
前記シート集積装置においては、上流側シート受け部材および下流側シート受け部材に受け止められたシートが集積面に落下したことを確認してから次のシートを投入しているから、前記シートが集積面に落下しないうちに新たなシートが投入されて前記シートの表面に擦り傷が生じることが効果的に防止される。
【００３０】
請求項９に記載の発明は、上流側シート受け部材と下流側シート受け部材とがシートを受けると、前記バックストッパが集積面から退避する請求項５〜８の何れか１項に記載のシート集積装置に関する。
【００３１】
前記シート集積装置においては、上流側シート受け部材と下流側シート受け部材とがシートを受け止めたときに前記バックストッパを集積面から退避させることにより、シートが集積される集積枠が拡大される。これにより、上流側シート受け部材と下流側シート受け部材とが退避位置を取ったときにシートが集積面上により確実に落下する。
【００３２】
請求項１０に記載の発明は、前記積載面を挟んでフロントストッパに相対する位置において前記バックストッパよりも下方に設けられたガイド板を備える請求項９に記載のシート集積装置に関する。
【００３３】
前記シート集積装置によれば、集積面上に落下するシートは前記ガイド板によって所定の集積位置に誘導されるから、集積枠を拡大したことによる集積位置のばらつきの発生が防止できる。
【００３４】
請求項１１に記載の発明は、シートの投入方向に沿って集積面を挟むように設けられた１対のサイドストッパを備え、前記サイドストッパは、フロントストッパ近傍からバックストッパ近傍まで延在してなる請求項５〜１０の何れか１項に記載のシート集積装置に関する。
【００３５】
前記シート集積装置においては、バックストッパ近傍まで延在しているサイドストッパにより、フロントストッパのノズル孔から噴出された気流が逃げてシートの浮上量が少なくなることが効果的に防止される。また、投入されたシートは、サイドストッパによって所定の集積位置にガイドされるから、集積位置のばらつきの発生を極小に抑えることができる。
【００３６】
請求項１２に記載の発明は、投入手段によって順次投入されるシートを、所定の集積面に位置決めしつつ層状に積層するシート積層方法であって、前記集積面の上方において、前記投入手段で投入されたシートの投入方向に対して上流側を上流側シート受け部材によって受け止め、前記シートの投入方向に対して下流側を下流側シート受け部材で受け止めるとともに、上流側シート受け部材と下流側シート受け部材とがシートを受けると、上流側シート受け部材と下流側シート受け部材との一方を投入方向に沿って移動させ、他方を下方に回動させることにより、上流側シート受け部材と下流側シート受け部材とを、シートを保持するシート保持位置から退避させ、前記集積面上に前記シートを落下させることを特徴とする集積方法に関する。
【００３７】
請求項１のところで述べたように、前記集積方法においては、上流側シート受け部材と下流側シート受け部材との一方を投入方向に沿って移動させ、他方を下方に回動させてシート保持位置から退避させているから、平版印刷版のように投入方向に沿った側縁にバリの生じたシートであっても、バリによって上流側シート受け部材および下流側シート受け部材の表面が傷ついたり、上流側シート受け部材および下流側シート受け部材が退避動作中にバリに引っ掛かってシートを傷つけたりするなどの問題を防止できる。
【００３８】
請求項１３に記載の発明は、上流側シート受け部材を下方に回動させ、下流側シート受け部材を投入方向に沿って移動させてシート保持位置から退避させる請求項１２に記載の集積方法に関する。
【００３９】
請求項２のところで述べた理由により、前記集積方法は、上記シート集積装置は平版印刷版の集積にとくに好適に使用される。
【００４０】
請求項１４に記載の発明は、下流側シート受け部材の集積面からの高さを、上流側シート受け部材の集積面からの高さ以下に設定した状態でシートを受ける請求項１２または１３に記載の集積方法に関する。
【００４１】
前記集積方法においては、下流側シート受け部材の高さを上流側シート受け部材の高さ以下に設定することにより、シートと下流側シート受け部材との衝突が生じるのを防止している。
【発明の効果】
【００４２】
以上説明したように本発明によれば、表面に傷がつき易いシートであっても合紙無しで表面を傷つけることなく集積できるシート集積装置および集積方法が提供される。
【発明を実施するための最良の形態】
【００４３】
１．実施形態１
【００４４】
本発明に係るシート集積装置の一例である平版印刷版のシート集積装置について以下に説明する。
【００４５】
実施形態１に係るシート集積装置１００は、図１に示すように、ベルトコンベア２００で矢印ａの方向に沿って投入された平版印刷版Ｐを前端部で受け止めるバックストッパ４と、平版印刷版Ｐの投入方向ａに対してバックストッパ４の後方に設けられ、バックストッパ４で受け止められた平版印刷版Ｐが集積されるとともに、リフタ２０で昇降可能な集積台２と、集積台２を挟んでバックストッパ４の反対側に位置するフロントストッパ６と、集積台２の投入方向ａに沿った両側縁に沿って設けられ、集積台２に集積された平版印刷版Ｐを両側から保持する１対のサイドストッパ８と、集積台２の上方におけるフロントストッパ６の近傍に位置する上流側受け板９と、集積台２の上方におけるバックストッパ４の近傍に位置する下流側受け板１０と、ベルトコンベア２００の末端近傍に設けられ、平版印刷版Ｐを光学的に検知するセンサ１２とを備える。更に、集積台２を挟んでフロントストッパ６に相対する位置に、バックストッパ４を両側から挟むようにガイド板１４が設けられている。平版印刷版Ｐは、本発明のシート集積装置で集積されるシートの一例であり、上流側受け板９および下流側受け板１０は、夫々本発明の上流側シート受け部材および下流側シート受け部材に相当し、集積台２の平版印刷版Ｐが載置される面は本発明の載置面に相当する。また、リフタ２０は本発明の集積高さ調整手段に相当し、センサ１２は、シート受け確認手段に相当する。
【００４６】
図１および図２に示すように、フロントストッパ６には、水平方向に開口する複数のスリット状のノズル孔７が全幅に亘って設けられている。ノズル孔７からは、図２に示すように、ベルトコンベア２００によって投入される平版印刷版Ｐに向って斜め上方に空気流が吹きつけられる。
【００４７】
図１〜図４に示すように、上流側受け板９および下流側受け板１０は夫々集積台２の投入方向ａに沿った両側縁の上方に１対づつ設けられている。下流側受け板１０は投入方向ａに沿って上流側受け板９の下流側に設けられている。また図２に示すように、上流側受け板９はフロントストッパ６のノズル孔７よりも低い高さに設けられ、下流側受け板１０は上流側受け板９に比較して低い高さに設けられている。
【００４８】
上流側受け板９は、図４に示すように、投入方向ａに沿った回転軸１１によって軸支された１対の腕部９Ａと、腕部９Ａによって支持され、平版印刷版Ｐを受ける本体部９Ｂとを備える。集積台の平版印刷版Ｐを受ける側の面は耐摩耗性樹脂で形成されている。上流側受け板９は、腕部９Ａが回転軸１１を中心に回動することにより、図１〜図４において実線で示すシート保持位置から同図において二点鎖線で示す退避位置、および退避位置からシート保持位置への移行が行われる。ここで、シート保持位置は、ベルトコンベア２００によって投入される平版印刷版Ｐを受け止める位置であり、退避位置は平版印刷版Ｐを落下させる位置である。
【００４９】
下流側受け板１０は、投入方向ａに沿って移動することにより、図１〜図４において実線で示すシート保持位置から同図において二点鎖線で示す退避位置に移行する。また、下流側受け板１０には、先端に平版印刷版Ｐが衝突したことを検知するセンサが設けられている。
【００５０】
集積装置１００の作用について以下に説明する。
【００５１】
先ず、リフタ２０によって集積台２を上昇させるとともに、集積面高さ検出装置によって集積台２の集積面の高さを検出し、下流側受け板１０と集積面とを所定の間隔に設定する。
【００５２】
次に、上流側受け板９を回転軸１１の周りに回動させて水平にするとともに、下流側受け板１０をフロントストッパ６に向かって移動させ、上流側受け板９および下流側受け板１０の何れもシート保持位置に移行させる。
【００５３】
上流側受け板９および下流側受け板１０がシート保持位置に移行したら、ベルトコンベア２００は平版印刷版Ｐを投入する。投入された平版印刷版Ｐは、フロントストッパ６のノズル孔７から噴出される空気流で末端部および中央部が持ち上げられると同時に、投入方向ａに対して上流側が上流側受け板９によって、下流側が下流側受け板１０によって受け止められる。同時に平版印刷版Ｐの前縁部がバックストッパ４で受け止められる。ここで、下流側受け板１０は上流側受け板９よりも高さが低いから、投入された平版印刷版Ｐは、上流側受け板９および下流側受け板１０によって確実に受け止められる。平版印刷版Ｐの下流側が下流側受け板１０によって受け止められると、センサ１２によって平版印刷版Ｐが検知される。なお、平版印刷版Ｐの前縁が下流側受け板１０に衝突したことを下流側受け板１０が検知すると、ベルトコンベア２００は自動的に停止し、平版印刷版Ｐの投入が中止される。
【００５４】
センサ１２が平版印刷版Ｐを検知して所定の時間が経過すると、上流側受け板９は、回転軸１１を中心に下方に向かって回動し、同時に下流側受け板１０は投入方向ａに沿って移動して何れも保持位置から退避位置に移行する。前記所定の時間として、投入された平版印刷版Ｐが上流側受け板９および下流側受け板１０によって受け止められてから、上流側受け板９および下流側受け板１０上において平版印刷版Ｐの挙動が収まるまでの時間が設定される。上流側受け板９および下流側受け板１０が保持位置から退避位置に移行すると同時に、バックストッパ４を集積台２から遠ざかる方向に１〜１０ｍｍ移動して平版印刷版Ｐが落下し易いようにする。これにより、上流側受け板９および下流側受け板１０によって受け止められていた平版印刷版Ｐは、集積済みの平版印刷版Ｐ上に落下して集積される。新たに投入された平版印刷版Ｐが落下したら、集積台２上に集積された平版印刷版Ｐと下流側受け板１０との間隔が一定になるようにリフタ２０によって集積台２を降下させる。
【００５５】
実施形態１の集積装置１００においては、ベルトコンベア２００で投入された平版印刷版Ｐと、集積台２に集積済みの平版印刷版Ｐとの間には相対速度が生じている。
【００５６】
しかし、投入された平版印刷版Ｐを上流側受け板９および下流側受け板１０によって下方から受け止め、前記集積済みの平版印刷版Ｐとの相対速度がほぼゼロになったところで、上流側受け板９および下流側受け板１０を退避位置に移行させ、受け止めた平版印刷版Ｐを集積台２に集積された平版印刷版Ｐ上に落下させている。
【００５７】
したがって、投入された平版印刷版Ｐが集積済みの平版印刷版Ｐと擦れることによる製版層の損傷を効果的に防止できるから、レーザ露光型平版印刷版のように、製版層が特に摩擦に弱い平版印刷版を合紙無しで集積するのに好適に使用される。
【００５８】
図４の（Ａ）に示すように、平版印刷版Ｐの投入方向ａに沿った側縁には下向きのバリが生じ、同図の（Ｂ）に示すように、前縁部には上向きのバリが生じている。しかし、投入方向ａに沿った側縁近傍において平版印刷版Ｐを受ける上流側受け板９は腕部９Ａが水平位置から下方に向かって回動することにより、シート保持位置から退避位置に移行するから、移行の際に側縁のバリに接触することがない。
【００５９】
一方、下流側受け板１０は、バリの発生していない下面に接触するから、シート保持位置から退避位置に移行する際にバリに接触することがない。
【産業上の利用可能性】
【００６０】
本発明は、感光型、感熱型、およびレーザ露光型の平版印刷版の集積のほか、アルミニウムシートやステンレス鋼シート、普通鋼シート、高張力鋼板シートなどの金属シート、塗装鉄板、各種プラスチックシート、および紙類の集積に使用できる。
【図面の簡単な説明】
【００６１】
【図１】図１は、実施形態１に係る集積装置の構成を示す略図である。
【図２】図２は、図１に示す集積装置における集積台とフロントストッパとバックストッパと上流側受け板および下流側受け板との相互の位置関係を示す概略断面図である。
【図３】図３は、図１に示す集積装置における集積台とフロントストッパとバックストッパとサイドストッパと上流側受け板および下流側受け板との相互の位置関係を示す概略平面図である。
【図４】図４は、上流側受け板および下流側受け板と平版印刷版に生じたバリとの相対的な位置関係を示す説明図である。
【符号の説明】
【００６２】
２    集積台
４    バックストッパ
６    フロントストッパ
７    ノズル孔
８    サイドストッパ
９    上流側受け板
９Ａ  腕部
９Ｂ  本体部
１０  下流側受け板
１１  回転軸
１２  センサ
１４  ガイド板
２０  リフタ
１００      集積装置
２００      ベルトコンベア
【図１】
2008081244.tif 000003
【図２】
2008081244.tif 000004
【図３】
2008081244.tif 000005
【図４】
2008081244.tif 000006